(57)【要約】無線装置（１０）は、近接した通信装置の識別情報を受信する通信部（１１）と、通信部（１１）が受信した識別情報を保持する保持部（１２）と、保持部（１２）に保持された識別情報に基づき近接した通信装置の利用者の属性を推定する処理部（１３）と、を含む。
2012169528.tif 000002
【特許請求の範囲】
【請求項１】
近接した通信装置の識別情報を受信する通信手段と、
前記通信手段が受信した識別情報を保持する保持手段と、
前記保持手段に保持された識別情報に基づき前記通信装置の利用者の属性を推定する処理手段と、を含む携帯装置。
【請求項２】
請求項１に記載の携帯装置において、
前記保持手段は、さらに、前記識別情報の受信回数に応じたカウント値を保持し、
前記通信手段は、前記識別情報として前記通信装置の利用者に関する利用者情報を受信し、
前記処理手段は、前記カウント値が所定の閾値を超える場合に前記通信手段が受信した利用者情報を用いて前記通信装置の利用者の属性を推定する、携帯装置。
【請求項３】
請求項１または２に記載の携帯装置において、
前記通信手段は、前記識別情報として、前記通信装置の利用者に関する利用者情報を受信し、
前記保持手段は、前記利用者情報ごとに、該利用者情報の受信回数に応じたカウント値を保持し、
前記処理手段は、前記通信手段が前記利用者情報である送信情報を受信すると、前記保持手段内の複数の前記利用者情報の中から、該利用者情報のカウント値の大きい順に特定の数の利用者情報を選択し、該選択された利用者情報の中に前記受信された送信情報が含まれている場合に、該送信情報を用いて、該送信情報にて特定される通信装置の利用者の属性を推定する、携帯装置。
【請求項４】
請求項１から３のいずれか１項に記載の携帯装置において、
前記保持手段は、さらに、前記利用者の特定の属性と関連する関連情報を保持し、
前記通信手段は、前記処理手段が前記特定の属性を推定すると、前記関連情報を前記通信装置に送信する、携帯装置。
【請求項５】
第１携帯装置と第２携帯装置とを備える携帯システムであって、
前記第１携帯装置は、
前記第１携帯装置に近接した前記第２携帯装置の識別情報を受信する通信手段と、
前記通信手段が受信した識別情報を保持する保持手段と、
前記保持手段に保持された識別情報に基づき前記第２携帯装置の利用者の属性を推定する処理手段と、を含む、携帯システム。
【請求項６】
請求項５に記載の携帯システムにおいて、
前記保持手段は、さらに、前記識別情報の受信回数に応じたカウント値を保持し、
前記通信手段は、前記識別情報として前記第２携帯装置の利用者に関する利用者情報を受信し、
前記処理手段は、前記識別情報のカウント値が所定の閾値を超える場合に前記通信手段が受信した利用者情報を用いて前記第２携帯装置の利用者の属性を推定する、携帯システム。
【請求項７】
携帯装置が行う処理方法であって、
近接した通信装置の識別情報を受信する通信ステップと、
前記受信された識別情報を保持手段に保持する保持ステップと、
前記保持手段に保持された識別情報に基づき前記通信装置の利用者の属性を推定する処理ステップと、を含む処理方法。
【請求項８】
請求項７に記載の処理方法において、
前記保持ステップでは、さらに、前記識別情報の受信回数に応じたカウント値を保持し、
前記通信ステップでは、前記識別情報として前記通信装置の利用者に関する利用者情報を受信し、
前記処理ステップでは、前記識別情報のカウント値が所定の閾値を超える場合に前記利用者情報を用いて前記通信装置の利用者の属性を推定する、処理方法。
【請求項９】
第１携帯装置と第２携帯装置とを備える携帯システムの処理方法であって、
前記第１携帯装置が、前記第１携帯装置に近接した前記第２携帯装置の識別情報を受信する通信ステップと、
前記第１携帯装置が、前記受信された識別情報を保持手段に保持する保持ステップと、
前記第１携帯装置が、前記保持手段に保持された識別情報に基づき前記第２携帯装置の利用者の属性を推定する処理ステップと、を含む処理方法。
【請求項１０】
コンピュータに、
近接した通信装置の識別情報を受信する通信手順と、
前記受信された識別情報を保持手段に保持する保持手順と、
前記保持手段に保持された識別情報に基づき前記通信装置の利用者の属性を推定する処理手順と、を実行させるためのプログラム。
【発明の詳細な説明】
【技術分野】
【０００１】
本発明は、携帯装置、携帯システムおよび処理方法に関し、特には、携帯装置のユーザの属性を推定する携帯装置、携帯システム、処理方法およびプログラムに関する。
【背景技術】
【０００２】
携帯端末のユーザに提供する提供情報を多数の携帯端末に一斉に配信するサービスが数多く検討されている。これらのサービスでは、携帯端末のユーザの嗜好などの属性に関係なく提供情報が配信されることが多い。【０００３】
特許文献１には、複数の携帯端末の識別情報毎にユーザのプロフィール情報を保持するサーバと、このサーバにアクセスする携帯端末とが記載されている。特許文献１に記載の携帯端末は、サーバと接続する無線部と、自己の識別情報を記憶し、他の携帯端末と近距離通信を行う近距離通信部と、を備えている。【０００４】
特許文献１に記載の携帯端末では、近距離通信部が近距離通信を行って他の携帯端末の識別情報を取得すると、無線部が他の携帯端末の識別情報と自己の識別情報とをサーバにそれぞれ送信する。サーバは、各識別情報にそれぞれ対応するプロフィール情報を用いて各ユーザの属性を判定または推定してマッチング判定を行い、その判定結果を返信する。【０００５】
特許文献１に記載の携帯端末は、サーバから判定結果を受信すると、その判定結果を表示する。このため、携帯端末は、プロフィール情報を識別情報毎に保持するサーバを用いて他の携帯端末のユーザとの相性を推定する。
【先行技術文献】
【特許文献】
【０００６】
【特許文献１】特開２０１０−２５１８５８号公報
【発明の概要】
【発明が解決しようとする課題】
【０００７】
特許文献１に記載の携帯端末は、自己の識別情報と他の携帯端末の識別情報とをサーバに送信し、サーバで行われたマッチングの判定結果を表示する。【０００８】
このため、携帯端末が判定結果を取得するには、携帯端末と近距離通信が行われた他の携帯端末のユーザの属性を判定または推定するためのサーバが必要となるので、システムの構成が複雑になってしまうという問題があった。【０００９】
本発明の目的は、簡易な構成により、近接した相手の属性を推定することが可能な携帯装置、携帯システムおよび処理方法を提供することにある。
【課題を解決するための手段】
【００１０】
本発明の携帯装置は、近接した通信装置の識別情報を受信する通信手段と、前記通信手段が受信した識別情報を保持する保持手段と、前記保持手段に保持された識別情報に基づき前記通信装置の利用者の属性を推定する処理手段と、を含む。【００１１】
本発明の携帯システムは、  第１携帯装置と第２携帯装置とを備える携帯システムであって、前記第１携帯装置は、前記第１携帯装置に近接した前記第２携帯装置の識別情報を受信する通信手段と、前記通信手段が受信した識別情報を保持する保持手段と、前記保持手段に保持された識別情報に基づき前記第２携帯装置の利用者の属性を推定する処理手段と、を含む。【００１２】
本発明の処理方法は、携帯装置が行う処理方法であって、近接した通信装置の識別情報を受信する通信ステップと、前記受信された識別情報を保持手段に保持する保持ステップと、前記保持手段に保持された識別情報に基づき前記通信装置の利用者の属性を推定する処理ステップと、を含む。【００１３】
本発明の処理方法は、第１携帯装置と第２携帯装置とを備える携帯システムの処理方法であって、前記第１携帯装置が、前記第１携帯装置に近接した前記第２携帯装置の識別情報を受信する通信ステップと、前記第１携帯装置が、前記受信された識別情報を保持手段に保持する保持ステップと、前記第１携帯装置が、前記保持手段に保持された識別情報に基づき前記第２携帯装置の利用者の属性を推定する処理ステップと、を含む。【００１４】
本発明のプログラムは、コンピュータに、近接した通信装置の識別情報を受信する通信手順と、前記受信された識別情報を保持手段に保持する保持手順と、前記保持手段に保持された識別情報に基づき前記通信装置の利用者の属性を推定する処理手順と、を実行させる。
【発明の効果】
【００１５】
本発明によれば、簡易な構成により、近接した相手の属性を推定することが可能になる。
【図面の簡単な説明】
【００１６】
【図１】本発明の実施形態における無線装置の構成を示すブロック図である。
【図２】２つの無線装置を有する携帯システムの構成を示す図である。
【図３】無線装置の処理方法の処理手順例を示すフローチャートである。
【発明を実施するための形態】
【００１７】
以下、本発明の一実施形態について図面を参照して説明する。  
図１は、本実施形態における無線装置の構成例を示すブロック図である。
【００１８】
無線装置１０は、通信装置を所持する人が無線装置１０の使用者とすれ違うときに、無線装置１０に近接した通信装置と近距離の無線通信（以下「近距離通信」と称する。）を行う携帯装置である。無線装置１０は、例えば、携帯電話機により実現される。なお、図１では、無線装置１０と近距離通信中の通信装置のことを「近接装置」と称する。
【００１９】
無線装置１０は、通信部１１と、保持部１２と、処理部１３と、を備える。通信部１１は、固有ＩＤ（IDentification）メモリ１１１を備える。保持部１２は、ＩＤ格納メモリ１２１とユーザ情報メモリ１２２と、を備える。
【００２０】
通信部１１は、無線通信が可能な通信エリア内に存在する近接装置と近距離通信を行う無線伝送装置である。通信部１１は、近接装置から、その近接装置を識別する識別情報を受信する。近距離通信としては、例えば、Ｂｌｕｅｔｏｏｔｈが用いられる。
【００２１】
固有ＩＤメモリ１１１は、無線装置１０固有の固有ＩＤを保持する。例えば、固有ＩＤメモリ１１１には、無線装置１０の機種ごとに機種固有の固有ＩＤが保持されている。
【００２２】
本実施形態では、通信部１１は、近接装置から、近接装置の識別情報として、近接装置の固有ＩＤと、近接装置のユーザに関するユーザ情報と、を受信する。近接装置のユーザ情報は、識別情報の詳細情報であり、近接装置の利用者情報とも呼ばれる。
【００２３】
ユーザ情報には、主に、ユーザの嗜好、行動履歴や、コンタクトリストなどが示されている。例えば、ユーザ情報には、ユーザの嗜好として「映画」が示され、ユーザの行動履歴としてユーザが最近行った映画館とその映画館で見た映画のタイトルとが示されている。また、コンタクトリストにはユーザの情報交換の相手が示されている。
【００２４】
通信部１１は、近接装置から、近接装置の固有ＩＤとユーザ情報とを受信すると、その近接装置の固有ＩＤとユーザ情報とを処理部１３に供給する。
【００２５】
保持部１２は、通信部１１が受信した識別情報を保持する。保持部１２は、複数の固有ＩＤごとに、固有ＩＤとユーザ情報とを保持する。さらに保持部１２には、無線装置１０とのすれ違い回数をカウントするためのカウント値が固有ＩＤごとに保持される。カウント値は、固有ＩＤが通信部１１で受信されるたびにカウントアップされる。なお、保持部１２は、コンピュータ読み取り可能な記録媒体である。
【００２６】
ＩＤ格納メモリ１２１は、固有ＩＤごとに、固有ＩＤと、ユーザ情報と、固有ＩＤの受信回数に応じたカウント値と、無線装置１０とすれ違った最新の日時と、を互いに対応付けて保持する。
【００２７】
ユーザ情報メモリ１２２は、特定の数（例えば１００個）の固有ＩＤごとに、固有ＩＤとユーザ情報とを互いに対応付けて保持する。また、ユーザ情報メモリ１２２は、無線装置１０のユーザに関するユーザ情報を保持する。
【００２８】
処理部１３は、保持部１２に保持された識別情報に基づき近接装置のユーザ（利用者）の属性を推定するコンピュータである。
【００２９】
処理部１３は、例えば、近接した通信装置からの送信情報として固有ＩＤとユーザ情報とを通信部１２から受け付けると、ＩＤ格納メモリ１２１内の複数の固有ＩＤの中から、固有ＩＤのカウント値の大きい順に特定の数の固有ＩＤを選択する。そして処理部１３は、その選択された固有ＩＤの中に通信部１１から受け付けた固有ＩＤが含まれている場合に、ユーザ情報を用いて近接装置のユーザの属性を推定する。
【００３０】
あるいは、処理部１３は、保持部１２に保持された識別情報のカウント値が所定の閾値を超える場合に、通信部１１からユーザ情報を受け付け、そのユーザ情報を用いて近接装置のユーザの属性を推定してもよい。
【００３１】
本実施形態では、処理部１３は、通信部１１から固有ＩＤとユーザ情報とを受け付けた場合には、固有ＩＤとユーザ情報とをＩＤ格納メモリ１２１に格納する。さらに処理部１３は、ＩＤ格納メモリ１２１に記憶されたカウント値のうち、通信部１１から受け付けた固有ＩＤのカウント値をカウントアップし、そのカウントアップした値を新たなカウント値としてＩＤ格納メモリ１２１に格納する。なお、処理部１３は、ＩＤ格納メモリ１２１にユーザ情報を格納してから所定の保持期間が経過するまでの間に、カウント値が増加しなかった固有ＩＤに対応付けられたユーザ情報を破棄する。
【００３２】
処理部１３は、通信部１１から受け付けた固有ＩＤのカウント値をカウントアップすると、ＩＤ格納メモリ１２１に記憶された複数の固有ＩＤの中から、カウント値の大きい順に特定の数の固有ＩＤを選択する。なお、処理部１３は、ＩＤ格納メモリ１２１に格納された複数の固有ＩＤの中から、カウント値の小さい順に特定の数の固有ＩＤを選択してもよい。
【００３３】
処理部１３は、ＩＤ格納メモリ１２１から、選択された特定の数の固有ＩＤと、その固有ＩＤに対応付けられたユーザ情報とを抽出し、その抽出された固有ＩＤごとに、固有ＩＤと、その固有ＩＤに対応付けられたユーザ情報と、を互いに対応付けてユーザ情報メモリ１２２に格納する。そして処理部１３は、ユーザ情報メモリ１２２に格納された固有ＩＤのいずれかが、通信部１１から受け付けた固有ＩＤと一致する場合に、その固有ＩＤに対応付けられたユーザ情報をユーザ情報メモリ１２２から読み出す。
【００３４】
処理部１３は、ユーザ情報メモリ１２２からユーザ情報を読み出すと、そのユーザ情報を用いて近接装置のユーザの属性を推定する。処理部１３は、ユーザ情報メモリ１２２に記憶された無線装置１０のユーザ情報のうち、推定された近接装置のユーザの属性と関連する関連情報を検索する。処理部１３は、無線装置１０のユーザ情報の中から関連情報が検出されると、その関連情報を通信部１１に供給し、通信部１１は、その関連情報を近接装置に送信する。
【００３５】
例えば、ユーザ情報メモリ１２２に、無線装置１０のユーザ情報として映画のクーポンを示すクーポン情報が保持されており、処理部１３が、近接装置のユーザの趣味として映画を示すユーザ情報をユーザ情報メモリ１２２から読み出した状況を想定する。この状況で処理部１３は、近接装置のユーザの属性として、近接装置のユーザの趣味は映画であると特定し、その特定した映画をキーワードにしてユーザ情報メモリ１２２内の無線装置１０のユーザ情報を検索する。そして処理部１３は、無線装置１０のユーザ情報の中から映画のクーポン情報を関連情報として検出すると、通信部１１を介して映画のクーポン情報を近接装置へ提供する。
【００３６】
図２は、携帯システム１００の構成例を示すブロック図である。
【００３７】
携帯システム１００は、無線装置１０（第１携帯装置）と無線装置２０（第２携帯装置）とを備える。
【００３８】
無線装置１０は、図１に示した構成と同様であり、図１と同一符号を付してここでの説明を省略する。
【００３９】
無線装置２０は、無線装置１０と同様の構成であり、固有ＩＤメモリ２１１を有する通信部２１と、ＩＤ格納メモリ２２１およびユーザ情報メモリ２２２を有する保持部２２と、処理部２３とを備える。
【００４０】
通信部２１は、通信部１１に対応する。固有ＩＤメモリ２１１は、固有ＩＤメモリ１１１に対応する。ＩＤ格納メモリ２２１は、ＩＤ格納メモリ１２１に対応し、ユーザ情報メモリ２２２は、ユーザ情報メモリ１２２に対応する。処理部２３は、処理部１３に対応する。
【００４１】
次に携帯システム１００の動作について説明する。
【００４２】
図３は、携帯システム１００の処理方法の処理手順例を示すフローチャートである。図３では、近距離通信の可能なエリア内に無線装置１０と無線装置２０とが近接している。
【００４３】
まず、通信部１１および２１のそれぞれは、近距離通信を行い、固有ＩＤメモリ１１１および２１１のそれぞれに記憶された固有ＩＤを交換する。さらに、通信部１１および２１のそれぞれは、ユーザ情報メモリ１２２および２２２のそれぞれに記憶された自装置のユーザ情報を交換する。
【００４４】
すなわち、通信部１１は、固有ＩＤメモリ１１１に記憶された固有ＩＤと、ユーザ情報メモリ１２２に記憶されたユーザ情報と、を通信部２１へ送信する。また、通信部２１は、通信部１１から無線装置２０の固有ＩＤとユーザ情報とを受信する。さらに、通信部２１は、固有ＩＤメモリ２１１に記憶された固有ＩＤと、ユーザ情報メモリ２２２に記憶されたユーザ情報と、を通信部１１へ送信する。また、ステップ９１にて、通信部１１は、通信部２１から無線装置１０の固有ＩＤとユーザ情報とを受信する。以下、無線装置１０および２０は同様の処理を行うため、無線装置１０についてのみ説明する。
【００４５】
通信部１１は、受信した無線装置２０の固有ＩＤとユーザ情報とを処理部１３に供給すると、処理部１３は、無線装置２０の固有ＩＤとユーザ情報とユーザ情報の格納日時とをＩＤ格納メモリ１２１に格納する。また、ステップ９２にて、処理部１３は、ＩＤ格納メモリ１２１内の無線装置２０の固有ＩＤに対応付けられたカウント値をカウントアップし、その値をカウント値としてＩＤ格納メモリ１２１に上書きする。
【００４６】
処理部１３は、無線装置２０の固有ＩＤに対応付けられたカウント値をカウントアップすると、ステップ９３にて、ＩＤ格納メモリ１２１に格納された固有ＩＤの中から、すれ違い回数を表すカウント値が大きい順に特定の数の固有ＩＤを選択する。また、処理部１３は、その選択された固有ＩＤと、その固有ＩＤに対応付けられたユーザ情報とをＩＤ格納メモリ１２１から抽出する。また、処理部１３は、その抽出した固有ＩＤごとに、固有ＩＤと、その固有ＩＤに対応付けられた最新のユーザ情報とを互いに対応付けてユーザ情報メモリ１２２に格納する。すなわち、処理部１３は、ユーザ情報メモリ１２２に格納されたユーザ情報を更新する。
【００４７】
処理部１３は、ユーザ情報メモリ１２２に格納されたユーザ情報を更新した後に、通信部１１から受け付けた固有ＩＤが、ユーザ情報メモリ１２２内の固有ＩＤのいずれかと一致するか否かを判断する。処理部１３は、通信部１１からの固有ＩＤが、ユーザ情報メモリ１２２内の固有ＩＤのいずれとも一致しない場合には、携帯システム１００の処理方法を終了する。
【００４８】
一方、処理部１３は、通信部１１からの固有ＩＤが、ユーザ情報メモリ１２２内の固有ＩＤのいずれかと一致した場合には、その一致した固有ＩＤに対応付けられたユーザ情報をユーザ情報メモリ１２２から読み出す。処理部１３は、ステップ９４にて、ユーザ情報メモリ１２２から無線措置２０のユーザ情報を読み出すと、そのユーザ情報を解析して、無線装置２０のユーザの属性、すなわち、ユーザの嗜好、行動パターンを推定する。
【００４９】
処理部１３は、無線装置２０のユーザの属性を推定すると、ユーザ情報メモリ１２２から無線装置１０のユーザ情報を読み出し、ステップ９５にて、そのユーザ情報のうち、推定された無線装置２０のユーザの属性と関連する関連情報を検索する。
【００５０】
処理部１３は、ステップ９６にて、無線装置１０のユーザ情報の中から関連情報を検出すると、通信部１１を介して関連情報を無線装置２０に提供し、携帯システム１００の処理方法を終了する。
【００５１】
なお、本実施形態では、通信部１１が、通信部２１から無線装置２０の固有ＩＤとユーザ情報との両者を受信する例について説明したが、通信部１１は、通信部２１から無線装置２０の固有ＩＤのみを受信し、その固有ＩＤのカウント値を処理部１３がカウントアップした後、無線装置２０の固有ＩＤが特定の数の固有ＩＤとして選択されたときに、通信部１１は、通信部２１に対し無線装置２０のユーザ情報を要求し、そのユーザ情報を通信部２１から受信するようにしてもよい。
【００５２】
また、本実施形態では、通信部１１が、近接した無線装置２０から、無線装置２０の識別情報を取得する例について説明したが、無線装置２０の識別情報の取得手法についてはこれに限られない。例えば、無線装置１０とは別に、無線装置１０に近接したときに無線装置２０の識別情報を無線装置１０に送信するサーバが用いられても良い。この場合、無線装置１０および２０のそれぞれは、所定周期ごとにＧＰＳ（Global  Positioning  System）を用いて自装置の位置情報を取得し、その位置情報と自装置の識別情報とをサーバに送信する。サーバは、各無線装置の位置情報を受信するたびに位置情報と時刻情報とを保持し、無線装置１０および２０の距離が特定の距離閾値よりも短くなったときに、無線装置１０に無線装置２０の識別情報を送信し、無線装置２０に無線装置１０の識別情報を送信する。よって、無線装置１０および２０は、近接した無線装置の識別情報をサーバから受信することができる。
【００５３】
本実施形態によれば、無線装置１０では、通信部１１が、近接した携帯装置の識別情報を受信すると、処理部１３は、その携帯装置の識別情報を保持部１２に格納し、その識別情報を保持部１２に格納した回数に基づき近接した携帯装置の利用者の属性を推定する。
【００５４】
一般的に、無線装置１０のユーザと頻繁にすれ違う人は、無線装置１０のユーザと比較して、行動パターンや嗜好などの属性が類似している可能性が高いと考えられる。
【００５５】
このため、携帯装置の利用者とすれ違うたびに無線装置１０は、近接した携帯装置の識別情報を取得し、その識別情報を取得した回数が多いほど、携帯装置の利用者は、無線装置１０のユーザの属性と類似していると推定する。
【００５６】
よって、無線装置１０は、携帯装置の利用者のプロフィール情報を保持するサーバを用いることなく、簡易な構成により、携帯装置の利用者の行動パターンなどの属性を推定することができる。
【００５７】
例えば、無線装置１０では、保持部１２が、携帯装置の識別情報の受信回数に応じたカウント値を保持するＩＤ格納メモリ１２１を有しており、通信部１１が、近接した携帯装置から、その携帯装置の識別情報として、携帯装置の利用者に関するユーザ情報を受信すると、処理部１３は、ＩＤ格納メモリ１２１に保持されたカウント値をカウントアップした値が所定の閾値を超える場合に、近接した携帯装置の利用者の属性を、通信部１１が受信した携帯装置のユーザ情報を用いて推定する。ユーザ情報には、例えば、利用者の趣味、利用者が最近行った場所などが示されている。
【００５８】
本実施形態では、ＩＤ格納メモリ１２１に、ユーザ情報ごとに、ユーザ情報の受信回数に応じたカウント値が保持される。通信部１１が、近接した携帯装置から送信された送信情報として、近接した携帯装置のユーザ情報を受信すると、処理部１３は、ＩＤ格納メモリ１２１に記憶された複数のユーザ情報の中から、ユーザ情報のカウント値の大きい順に特定の数の識別情報を選択する。そして処理部１３は、その選択されたユーザ情報の中に通信部１１で受信された送信情報が含まれている場合に、その送信情報を用いて送信情報にて特定される携帯装置の利用者の属性を推定する。
【００５９】
このため、無線装置１０は、無線装置１０のユーザの属性と類似性の高い人が所有する携帯装置からユーザ情報を受信し、そのユーザ情報を用いて携帯装置の利用者の属性をより詳細に推定する。
【００６０】
よって、無線装置１０は、自装置のユーザの属性と類似性の高い人の携帯装置に限り、その携帯装置のユーザ情報を用いてユーザの属性をより詳細に推定することができる。また、無線装置１０は、類似性の低い携帯端末のユーザに対してはユーザ情報を用いてユーザの属性をより詳細に推定する処理を行わないので、無線装置１０で行われる不要な処理を低減することができる。
【００６１】
また、本実施形態では、保持部１２が、携帯装置の利用者の特定の属性に関連する関連情報を保持するユーザ情報メモリ１２２をさらに有し、処理部１３が、近接した携帯装置の利用者の属性が特定の属性であると推定すると、通信部１１は、ユーザ情報メモリ１２２に保持された関連情報を、近接した携帯装置へ送信する。
【００６２】
このため、無線装置１０は、自装置のユーザの属性（特定の属性）と関連する関連情報を保持している状況で、自装置のユーザの属性と類似性が高い人とすれ違うときに、近接した携帯装置からそのユーザ情報を取得し、その取得したユーザ情報を用いて携帯装置の利用者の属性を詳細に推定する。そして無線装置１０は、自装置のユーザの属性（特定の属性）と比較して携帯装置の利用者の属性が類似すると推定した場合に関連情報を携帯装置へ提供する。
【００６３】
一般に携帯装置に提供する提供情報を配信する配信装置では、すれ違う人の行動パターンや人間関係に関わらず、全ての携帯装置に提供情報が配信されることが多い。このため、携帯装置の利用者にとって必要のない提供情報が携帯装置に保持されることもあり、この場合には利用者が、携帯装置を用いて不要な提供情報を削除するという煩わしい作業を行うことになる。さらに、ユーザにとって不要な提供情報が配信装置から数多く提供された場合、ユーザにて配信装置からの情報提供を停止する措置が取られることもあり、この場合にはユーザにとって有益な情報を取得する機会が減少することになる。
【００６４】
これに対し、無線装置１０は、すれ違う人の行動パターンおよび人間関係などを的確に把握し、すれ違う人が利用する携帯装置に、その利用者に適した関連情報を提供することができる。このため、携帯装置の利用者にとっては、有益な情報を取得する可能性が高まる。
【００６５】
なお、無線装置１０は、自装置のユーザの属性と異なる特定の属性に関連する関連情報を保持してもよい。この場合に無線装置１０では、ＩＤ格納メモリ１２１に保持されたカウント値が所定の閾値よりも低い場合に、ユーザ情報を用いて携帯装置の利用者の属性を推定し、その属性が自装置のユーザの属性と異なる特定の属性であると推定した場合に関連情報を携帯装置へ提供する。よって、無線装置１０は、自装置のユーザの属性と異なる特定の属性に関連する関連情報を近接した携帯装置へ適切に提供することができる。
【００６６】
以上、実施の形態を参照して本願発明を説明したが、本願発明は上記実施の形態に限定されるものではない。本願発明の構成や詳細には、本願発明のスコープ内で当業者が理解し得る様々な変更をすることができる。
【００６７】
この出願は、２０１１年６月８日に出願された日本出願特願２０１１−１２８１０４を基礎とする優先権を主張し、その開示の全てをここに取り込む。
【図１】
2012169528.tif 000003
【図２】
2012169528.tif 000004
【図３】
2012169528.tif 000005
【国際調査報告】
2012169528.tif 000006
2012169528.tif 000007